(57)【要約】【課題】  記録媒体の重送の発生を低減することが可能な媒体搬送装置及び画像形成装置を提供する。【解決手段】  媒体を積載する媒体積載部と、前記媒体積載部上の前記媒体と当接し、前記媒体を搬送方向に繰り出す第１の繰り出しローラと、前記搬送方向における前記第１の繰り出しローラの下流側に配置され、前記媒体積載部上の前記媒体と当接して前記媒体を前記搬送方向に繰り出す第２の繰り出しローラと、前記第１の繰り出しローラと前記第２の繰り出しローラとの駆動を制御する制御部とを備えた媒体搬送装置及び当該媒体搬送装置を有する画像形成装置。【選択図】  図１
2018002367.tif 000002
【特許請求の範囲】
【請求項１】
媒体を積載する媒体積載部と、
前記媒体積載部上の前記媒体と当接し、前記媒体を搬送方向に繰り出す第１の繰り出しローラと、
前記搬送方向における前記第１の繰り出しローラの下流側に配置され、前記媒体積載部上の前記媒体と当接して前記媒体を前記搬送方向に繰り出す第２の繰り出しローラと、
前記第１の繰り出しローラと前記第２の繰り出しローラとの駆動を制御する制御部とを備えること
を特徴とする媒体搬送装置。
【請求項２】
前記制御部は、
前記媒体積載部から前記媒体を給紙するとき、
前記第２の繰り出しローラを停止した状態で、前記第１の繰り出しローラの駆動を開始すること
を特徴とする請求項１に記載の媒体搬送装置。
【請求項３】
前記制御部は、
前記媒体積載部から前記媒体を給紙するとき、
前記第１の繰り出しローラを第１の速度で駆動させ、
前記第２の繰り出しローラを前記第１の繰り出しローラの速度よりも遅い第２の速度で駆動させること
を特徴とする請求項１に記載の媒体搬送装置。
【請求項４】
前記搬送方向における前記第２の繰り出しローラの下流側に配置され、搬送される前記媒体を分離する分離部を備えること
を特徴とする請求項１に記載の媒体搬送装置。
【請求項５】
前記第２の繰り出しローラに対して負荷を与えるブレーキ部材を備え、
前記ブレーキ部材による負荷がある場合、前記第２の繰り出しローラの摩擦力により前記媒体の先端部の走行が停止され、
前記媒体の先端部の走行の停止は前記ブレーキ部材による負荷付与時間によって調整されること
を特徴とする請求項１に記載の媒体搬送装置。
【請求項６】
前記第１の繰り出しローラ及び前記第２の繰り出しローラの同一の駆動源によって駆動され、
それぞれの繰り出しローラの回転、停止は複数の駆動伝達手段を切替えることにより実現されること
を特徴とする請求項１に記載の媒体搬送装置。
【請求項７】
請求項１乃至請求項６の何れか１項に記載の媒体搬送装置を備えること
を特徴とする画像形成装置。
【発明の詳細な説明】
【技術分野】
【０００１】
本発明は、記録媒体を給紙する媒体搬送装置及び当該媒体搬送装置により給紙された記録媒体に画像を形成する画像形成装置に関するものである。
【背景技術】
【０００２】
画像形成装置内で記録媒体を給紙する媒体搬送装置として一般的な分離ローラ（リタードローラ）を用いる方式では、ピックアップローラで繰出された記録媒体の先端部は、給紙ローラと分離ローラとによるローラ対の圧接部に突入させられる。分離ローラにはトルクリミッタによる回転負荷が付与されており、２枚の記録媒体が重なった状態では、分離ローラがブレーキの役割を果たすため、最上部の記録媒体のみが搬送ローラによって搬送されることになる（例えば、特許文献１参照）。
【先行技術文献】
【特許文献】
【０００３】
【特許文献１】特開２０１５−１４３１４０号公報
【発明の概要】
【発明が解決しようとする課題】
【０００４】
従来技術に係る媒体搬送装置においては、記録媒体が複数枚重なった状態で給紙される、所謂、重送が発生することがあり、今後、重送の発生をより低減することが可能な媒体搬送装置の提供が求められている。
【０００５】
本発明はこのような実状に鑑みてなされたものであり、本発明の課題は、記録媒体の重送の発生を低減することが可能な媒体搬送装置を提供することである。
【０００６】
また、本発明は、記録媒体の重送の発生を低減することが可能な媒体搬送装置から給紙された記録媒体に画像を形成する画像形成装置を提供することである。
【課題を解決するための手段】
【０００７】
上記課題を解決するために、本発明に係る媒体搬送装置は、媒体を積載する媒体積載部と、前記媒体積載部上の前記媒体と当接し、前記媒体を搬送方向に繰り出す第１の繰り出しローラと、前記搬送方向における前記第１の繰り出しローラの下流側に配置され、前記媒体積載部上の前記媒体と当接して前記媒体を前記搬送方向に繰り出す第２の繰り出しローラと、前記第１の繰り出しローラと前記第２の繰り出しローラとの駆動を制御する制御部とを備えることを特徴としている。
【０００８】
また、本発明に係る画像形成装置は、上記媒体搬送装置を備えることを特徴としている。
【発明の効果】
【０００９】
本発明によれば、記録媒体の重送の発生を低減することが可能な媒体搬送装置を提供することができる。
【００１０】
また、本発明によれば、記録媒体の重送の発生を低減することが可能な媒体搬送装置から給紙された記録媒体に画像を形成する画像形成装置を提供することができる。
【図面の簡単な説明】
【００１１】
【図１】本実施形態に係る画像形成装置としてのプリンタの構成を説明する概略構成図である。
【図２】本実施形態に係る用紙トレイの概略構成を説明する斜視図である。
【図３】本実施形態に係る用紙トレイの概略構成を説明する側面図である。
【図４】本実施形態に係る給紙／搬送部の駆動伝達部を説明する上面図である。
【図５】本実施形態に係る給紙／搬送部の動作を説明する状態説明図である。
【図６】本実施形態に係る給紙／搬送部の動作を説明する状態説明図である。
【図７】本実施形態に係る給紙／搬送部の動作を説明する状態説明図である。
【図８】本実施形態に係る給紙／搬送部の動作を説明する状態説明図である。
【発明を実施するための形態】
【００１２】
以下、本発明の実施形態について図面を参照して説明する。なお、本発明は以下の記述に限定されるものではなく、本発明の要旨を逸脱しない範囲において適宜変更可能である。
【００１３】
図１は、本実施形態に係る画像形成装置としてのプリンタ１０の構成を説明する概略構成図である。プリンタ１０は電子写真方式により記録媒体としての用紙１０１上に現像剤であるトナーを用いて画像を形成することが可能な中間転写方式の画像形成装置である。
【００１４】
図１に示すように、プリンタ１０は、給紙／搬送部２００を始点として、用紙搬送部４００を介し排出ローラ対８０３を終点とする略Ｓ字状に形成された用紙搬送経路Ｓが形成されている。用紙搬送経路Ｓには、後述する画像形成ユニット５３０Ａ，５３０Ｂ，５３０Ｃ，５３０Ｄ，５３０Ｅにおいて現像剤であるトナーにより現像されたトナー像を保持し搬送する中間転写ベルト６００と当接し、該トナー像を用紙１０１に転写させる２次転写ローラ６９０と、用紙１０１に転写されたトナー像を定着させる定着装置７００が設けられている。
【００１５】
給紙／搬送部２００は、後述する用紙トレイ１００に積載された用紙１０１をその最上部から取り出して用紙搬送経路Ｓに繰り出す。給紙／搬送部２００の構成については後述する。
【００１６】
用紙搬送部４００は、搬送ローラ対４０２，４０３等を備え、給紙／搬送部２００により繰り出された用紙１０１を用紙搬送経路Ｓに沿って搬送する。
【００１７】
中間転写ベルト６００は、２次転写バックアップローラ６９１、中間転写ベルト駆動ローラ６９２、従動ローラ６９３，６９４により張架された無端のベルト部材であり、画像形成ユニット５３０Ａ，５３０Ｂ，５３０Ｃ，５３０Ｄ，５３０Ｅにおいて現像されたトナー像を担持した状態で図１中矢印Ｆ方向に駆動し、２次転写ローラ６９０と２次転写バックアップローラ６９１との間で形成される２次転写点にトナー像を搬送する。２次転写ローラ６９０は、用紙搬送経路Ｓに沿って搬送された用紙１０１を、中間転写ベルト６９０上に転写されたトナー像と共に挟持し、トナーの帯電電位とは逆極性の所定の電圧が印加されることで、中間転写ベルト６９０上のトナー像を用紙１０１に２次転写させる。
【００１８】
なお、中間転写ベルト６９０を介し、後述する画像形成ユニット５３０Ａ，５３０Ｂ，５３０Ｃ，５３０Ｄ，５３０Ｅのそれぞれが備える感光体ドラムと対峙する位置には、各画像形成ユニット５３０Ａ，５３０Ｂ，５３０Ｃ，５３０Ｄ，５３０Ｅで現像されたトナー像を中間転写ベルト６００に１次転写させる１次転写ローラ５６０Ａ，５６０Ｂ，５６０Ｃ，５６０Ｄ，５６０Ｅが設けられている。１次転写ローラ５６０Ａ，５６０Ｂ，５６０Ｃ，５６０Ｄ，５６０Ｅは、金属シャフトにウレタンスポンジ層が被覆された構成であり、図示せぬ１次転写電圧電源から印加された所定の転写電圧により感光体ドラム表面上で現像されたトナー像を中間転写ベルト６００に１次転写する。
【００１９】
定着装置７００は、定着ローラ７００ａとバックアップローラ７００ｂとを備え、用紙１０１に転写されたトナー像を定着させる。定着ローラ７００ａは、例えば、アルミニウム等からなる中空円筒状の金属シャフトにシリコーンゴムの耐熱弾性層を被覆し、その上にＰＦＡ（テトラフルオロエチレンーパーフルオロアルキルビニルエーテル共重合体）チューブを被覆することによって形成されている。そして、その金属シャフト内には、例えば、ハロゲンランプ等の加熱ヒータが設けられている。バックアップローラ７００ｂは、例えば、アルミニウム等からなる金属シャフトにシリコーンゴムの耐熱弾性層を被覆し、その上にＰＦＡを被覆した構成であり、定着ローラ７００ａとの間に圧接部が形成されるように配設されている。２次転写点においてトナー像が転写された用紙１０１は、所定の温度に維持された定着ローラ７００ａとバックアップローラ７００ｂとから形成される圧接部を通過する際に熱及び圧力が付与され、トナーが溶融し、該トナー像は定着される。
【００２０】
排出ローラ対８０３は、定着装置７００を通過した用紙１０１を装置外筐を利用して形成された積載部８０５に排出する。
【００２１】
なお、プリンタ１０は給紙／搬送部２００では搬送できないような記録媒体（例えば、長尺媒体、媒体厚みが厚い媒体、ＯＨＰフィルム等）をプリンタ内部に給紙するための媒体トレイ９００を備える。媒体トレイ９００はプリンタ本体に対して折り畳み収納可能となるように構成されており、媒体トレイ９００から繰り出された記録媒体は用紙搬送部４００に給紙される。
【００２２】
次に、画像形成ユニット５３０Ａ，５３０Ｂ，５３０Ｃ，５３０Ｄ，５３０Ｅについて説明する。なお、画像形成ユニット５３０Ａ，５３０Ｂ，５３０Ｃ，５３０Ｄ，５３０Ｅの構成は収容する、例えば、ブラック、マゼンタ、シアン、イエロー、クリアといったトナーのみが異なり、他の構成はすべて同一である。よって、ここでの説明では、画像形成ユニット５３０Ａについて説明する。画像形成ユニット５３０Ａは、図中矢印方向に回転可能に支持された像担持体としての感光体ドラム５３１と、感光体ドラム５３１の回転方向上流側に圧接するように配設された帯電ローラ５３２と、感光体ドラム５３１の直上に配設された露光装置５３３と、感光体ドラム５３１に圧接するように配設された現像ローラ５３４と、現像ローラ５３４に対向して配設された供給ローラ５３５とを備える。
【００２３】
感光体ドラム５３１は導電性支持体と光導電層によって構成され、導電性支持体としてのアルミニウム等の金属シャフトに光導電層としての電荷発生層及び電荷輸送層を順次積層した構成の有機感光体であり、露光装置５３３から照射された照射光によって画像データに基づく静電潜像を形成する。感光体ドラム５３１には、図中矢印方向に回転可能となるように駆動用の図示せぬギアが設けられている。
【００２４】
帯電ローラ５３２は、例えば、ステンレス等の金属シャフトの外周に半導電性エピクロロヒドリンゴムが被覆されて構成されている。帯電ローラ５３２は、感光体ドラム５３１に対して圧接するように配設されており、感光体ドラム１表面を一様均一に帯電させる。
【００２５】
露光装置５３３は、例えば、ＬＥＤ（Light Emitting Diode）素子から構成されるＬＥＤヘッドとレンズアレイとを有し、画像データに基づいてＬＥＤ素子から照射される照射光が感光体ドラム５３１の表面に結像する位置となるように配設されている。
【００２６】
現像ローラ５３４は、例えば、ステンレス等の金属シャフトの外周にカーボンブラックを分散させたウレタンゴムが被覆され、その表面はイソシアネート処理が施されている。現像ローラ５３４は、感光体ドラム５３１の表面に圧接するように配設され、感光体ドラム５３１表面に形成された静電潜像にトナーを供給し、トナー像を現像する。
【００２７】
供給ローラ５３５は、例えば、ステンレス等の金属シャフトの外周に半導電性発泡シリコーンスポンジ層が被覆されて構成されている。供給ローラ５３５は、現像ローラ５３４に対して圧接するように配設されており、トナーカートリッジ５５０に収容されたトナーを現像ローラ５３４に供給する。
【００２８】
トナーカートリッジ５５０は、未使用のトナーを収容する空間を備えた箱型形状部材である。トナーカートリッジ５５０の下部には、供給ローラ５３５にトナーを供給するための図示せぬシャッタが形成されており、該シャッタを介して落下したトナーが供給ローラ５３５に供給される。
【００２９】
また、プリンタ１０は、制御部８０１と、給紙／搬送駆動源８００とを備える。制御部８０１は、プリンタ１０における画像形成を制御する制御部であって、第１のピックアップローラ２０３、第２のピックアップローラ２０４、給紙ローラ２０５、用紙搬送部４００、中間転写駆動ローラ６９２、定着装置７００、排出ローラ対８０３等、各種ローラの駆動制御を行う。給紙／搬送駆動源８００は、図示せぬモータ等の駆動力発生手段を有し、駆動力発生手段により生じた駆動力は後述するシャフト２１３，２１４，２１５等を介して伝達され、これらのシャフトに接続された各ローラ等を回転させる。
【００３０】
次に、本実施形態に係る給紙／搬送部２００、特に用紙トレイ１００について図２及び図３を用いて説明する。図２は用紙トレイ１００の概略構成を説明する斜視図であり、図３は側面断面図である。なお、ここでの説明においては、プリンタ１０に対する用紙トレイ１００の挿抜方向である用紙給紙方向をｘ方向、ｘ方向に対して垂直方向をｙ方向、ｘ方向及びｙ方向に対して鉛直方向をｚ方向として説明する。
【００３１】
図２及び図３に示すように、用紙トレイ１００は上面開放箱型の形状を有し、プリンタ１０に対して挿抜可能となるように構成されている。このような用紙トレイ１００は、用紙積載トレイ１０２と、可動用紙積載トレイ１０３と、用紙ガイド対１０４と、用紙ガイド１０５と、シャフト１０６と、ピックアップフレーム２０１と、スプリング２０２と、第１の繰り出しローラとしての第１のピックアップローラ２０３と、第２の繰り出しローラとしての第２のピックアップローラ２０４と、給紙ローラ２０５と、分離ローラ２０６と、駆動伝達部２２０とを備える。
【００３２】
用紙積載トレイ１０２及び可動用紙積載トレイ１０３は、用紙１０１を積載する板状部材である。可動用紙積載トレイ１０３は、図中ｚ方向の上下方向において可動可能となるように構成されている。
【００３３】
用紙ガイド対１０４は、用紙１０１の側面を固定するガイド板部材と、当該ガイド板部材に連続して形成された図示せぬラック部材と、ラック部材と係合する図示ピニオンギアとを備え、それぞれのガイド板部材は、用紙１０１の給紙方向に対して垂直方向である図中ｙ方向にスライド可能となるように構成されている。
【００３４】
用紙ガイド１０５は、用紙１０１の後端を固定するガイド板部材と、当該ガイド板部材と係合可能に形成された図示せぬスライド溝とを備え、ガイド板部材は、用紙１０１の給紙方向であるｘ方向に対してスライド可能となるように構成されている。
【００３５】
シャフト１０６は、後述する給紙／搬送駆動源８００と接続されており、当該駆動源から供給された駆動力により用紙トレイ１００を図１中矢印ｚ方向の上下方向に可動させる。
【００３６】
ピックアップフレーム２０１は、第１のピックアップローラ２０３と第２のピックアップローラ２０４とを回転可能に支持する支持部材である。ピックアップフレーム２０１は後述するシャフト２１５の駆動に伴い回転可能となるように設けられている。
【００３７】
スプリング２０２は、図１中ｚ方向の下方向（用紙１０１側）へピックアップフレーム２０１を付勢する付勢部材である。
【００３８】
第１のピックアップローラ２０３及び第２のピックアップローラ２０４は、いずれも用紙１０１を繰り出すローラ部材であり、ピックアップフレーム２０１に回転可能となるように支持されている。また、第１のピックアップローラ２０３及び第２のピックアップローラ２０４は、ピックアップフレーム２０１を介してスプリング２０２の付勢力により用紙１０１に付勢されている。
【００３９】
給紙ローラ２０５は用紙１０１を搬送するローラ部材であり、分離ローラ２０６は用紙１０１を分離するローラ部材であり、当該給紙ローラ２０５と分離ローラ２０６とは分離部を構成する。
【００４０】
なお、図３に示すように、給紙ローラ２０５と分離ローラ２０６との用紙搬送方向下流側には、用紙検知センサ４０１と、搬送ローラ対４０２とが設けられている。用紙検知センサ４０１は用紙１０１の通過を検知する光学式又は機械式のセンサ部材であり、用紙検知センサ４０１の検知結果は、図示せぬ制御部に出力される。搬送ローラ対４０２は、用紙搬送部４００を構成するローラ部材であり、給紙トレイ１００から繰り出された用紙１０１を用紙搬送経路Ｓに沿って搬送する。
【００４１】
次に、図４を用いて給紙／搬送部２００の駆動伝達部２２０について説明する。図４は、図１における−ｚ方向から駆動伝達部２２０を見た上面図である。
【００４２】
駆動伝達部２２０は、シャフト２１３，２１４，２１５と、電磁クラッチ２２３，２２４，２２５と、電磁ブレーキ２３４とを備える。なお、駆動伝達部２２０のシャフト２１３，２１４，２１５には、図１で示す給紙／搬送駆動源８００が図示せぬギアを介して接続されている。
【００４３】
シャフト２１３は、第１のピックアップローラ２０３を回転可能に支持し、電磁クラッチ２２３を介して給紙／搬送駆動源８００から伝達された駆動力によって回転する。
【００４４】
シャフト２１４は、第２のピックアップローラ２０４を回転可能に支持し、電磁クラッチ２２４を介して給紙／搬送駆動源８００から伝達された駆動力によって回転する。
【００４５】
シャフト２１５は、給紙ローラ２０５を回転可能に支持し、電磁クラッチ２２５を介して給紙／搬送駆動源８００から伝達された駆動力によって回転する。
【００４６】
電磁クラッチ２２３は、無通電状態（ＯＦＦ）ではシャフト２１３に対して回転自在となるように設けられており、通電状態（ＯＮ）ではシャフト２１３に電磁的に接合することで給紙／搬送駆動源８００から供給された駆動力をシャフト２１３に伝達し、第１のピックアップローラ２０３を回転させることができる。
【００４７】
電磁クラッチ２２４は、無通電状態（ＯＦＦ）ではシャフト２１４に対して回転自在となるように設けられており、通電状態（ＯＮ）ではシャフト２１４に電磁的に接合することで給紙／搬送駆動源８００から供給された駆動力をシャフト２１４に伝達し、第２のピックアップローラ２０４を回転させることができる。
【００４８】
電磁クラッチ２２５は、無通電状態（ＯＦＦ）ではシャフト２１５に対して回転自在となるように設けられており、通電状態（ＯＮ）ではシャフト２１５に電磁的に接合することで給紙／搬送駆動源８００から供給された駆動力をシャフト２１５に伝達し、給紙ローラ２０５を回転させることができる。
【００４９】
電磁ブレーキ２３４は、無通電状態（ＯＦＦ）ではシャフト２１４に対して回転自在となるように設けられており、通電状態（ＯＮ）ではシャフト２１４に電磁的に接合することで、当該シャフト２１４の駆動を規制する。
【００５０】
次に、本実施形態に係る給紙／搬送部２００の動作について図５乃至図８を用いて説明する。
【００５１】
図５は、給紙動作前の静止状態を示す状態説明図である。この状態においては、電磁クラッチ２２３，２２４，２２５及び電磁ブレーキ２３４は無通電状態であるため空転し、給紙／搬送駆動源８００も駆動していない。給紙トレイ１００の用紙１０１がセットされると、制御部８０１はシャフト１０６を上昇させ、用紙トレイ１００とセットされた用紙１０１とを所定の給紙位置まで移動させる。所定の給紙位置では、第１のピックアップローラ２０３と第２のピックアップローラ２０４とが用紙１０１と接触する。このとき、第１のピックアップローラ２０３と第２のピックアップローラ２０４とはピックアップフレーム２０１を介してスプリング２０２により用紙１０１に付勢されている。
【００５２】
図６の説明においては、給紙トレイ１００の最上部の用紙１０１を用紙１０１ａ、最上部から２番目以降の用紙１０１を用紙１０１ｂとして説明する。
【００５３】
図５の静止状態から、制御部８０１の制御に基づき電磁ブレーキ２３４が通電状態となると、図６に示すように、シャフト２１４の駆動は規制され、第２のピックアップローラ２０４は回転しない。この状態において電磁クラッチ２２３が、制御部８０１の制御に基づき通電状態となると、給紙／搬送駆動源８００の供給された駆動力に基づき第１のピックアップローラ２０３が回転を開始し、用紙１０１ａは図中ｘ方向の用紙搬送方向への搬送が開始され、用紙後端位置は移動することになる。しかしながら、このとき第２のピックアップローラ２０４は回転しないため、用紙先端位置は変わらない。これにより、第１のピックアップローラ２０３と第２のピックアップローラ２０４との間にある用紙１０１ａが図中ｚ方向に持ち上げられ、最上部の用紙１０１である用紙１０１ａと最上部から２番目の用紙１０１ｂとの間に空間Ｇが形成される。
【００５４】
図６の状態から、制御部８０１の制御に基づき電磁ブレーキ２３４が無通電状態となり、電磁クラッチ２２４,２２５が通電状態となると、図７に示すように、給紙／搬送駆動源８００の供給された駆動力に基づき第２のピックアップローラ２０４と給紙ローラ２０５とが回転を開始し、用紙１０１ａは図中ｘ方向の用紙搬送方向に搬送される。この状態で制御部８０１の制御に基づき電磁クラッチ２２３が無通電状態となると、第１ピックアップローラ２０３は空転可能となり、用紙１０１ａの搬送に伴い連れ回り回転する。これにより、空間Ｇが無くなると同時に最上部の用紙１０１ａと最上部から２番目以降の用紙１０１ｂとの先端位置の差Ｈが生じる。図７では、説明のため差Ｈは大きく示されているが、実際にはわずかな差があれば良く、最上部の用紙１０１ａと最上部から２番目以降の用紙１０１ｂとの先端位置にわずかな差があることで、３枚以上の用紙１０１が先端の完全に揃った状態で給紙ローラ２０５と分離ローラ２０６との間の圧接部に同時に突入することが無くなり、分離ローラ２０６によって用紙１０１が適切に分離されることになる。
【００５５】
なお、差Ｈの大きさは用紙種類や印刷速度によって変動することがあるため、用紙の種類によっては、差Ｈが小さすぎることにより重送が発生する場合がある。差Ｈを大きくするためには空間Ｇを大きくすれば良く、そのためには第２のピックアップローラ２０４の回転を停止した状態で、第１のピックアップローラ２０３の駆動回転時間を長くすれば良い。この調整機能を実現するため、電磁ブレーキ２３４の通電時間を設定する設定メニューから任意に設定可能とすることが好ましい。
【００５６】
図７の状態から分離された用紙１０１ａが第２のピックアップローラ２０４と給紙ローラ２０５とによって、図８に示すように、用紙搬送方向下流側に搬送されていくと、その先端部が用紙検知センサ４０１に到達し、搬送ローラ対４０２に挟持されたことが検知される。その後、電磁クラッチ２２４,２２５が、制御部８０１の制御に基づき無通電状態となると、搬送ローラ対４０２により用紙１０１ａが搬送されることになる。第２のピックアップローラ２０４と給紙ローラ２０５とは用紙１０１ａの搬送に対して連れ回り回転状態となり、完全に用紙１０１ａが通過した後は、図５に示した状態となる。
【００５７】
上記給紙／搬送部２００により給紙された用紙１０１に画像を形成する画像形成動作について説明する。
【００５８】
まず、図示せぬ上位装置、例えば、パーソナルコンピュータ等から印刷命令が入力されると、感光体ドラム５３１は図１中矢印方向に一定速度で回転する。
【００５９】
感光体ドラム５３１の回転に伴う駆動力は、図示せぬギアを介して現像ローラ５３４に伝達され、当該現像ローラ５３４、現像ローラ５３４に対して圧接するように配設された供給ローラ５３５、そして、感光体ドラム５３１に対して圧接するように配設された帯電ローラ５３２はそれぞれ回転を開始する。
【００６０】
そして、帯電ローラ５３２は図示せぬ帯電電圧電源から印加された所定の電圧によって感光体ドラム５３１表面を一様均一に帯電させる。次に、露光装置５３３は感光体ドラム５３１表面に静電潜像を形成させる。
【００６１】
感光体ドラム５３１表面に形成された静電潜像に対して現像ローラ５３４表面のトナーが付着することにより、トナー像が反転現像される。
【００６２】
一方、給紙／搬送部２００から給紙された用紙１０１は、２次転写ローラ６９０と２次転写バックアップローラ６９１との間で形成される２次転写点に搬送させる。
【００６３】
ところで、画像形成ユニット５３０Ａ，５３０Ｂ，５３０Ｃ，５３０Ｄ，５３０Ｅのそれぞれが備える感光体ドラム５３１と対峙する位置に設けられた１次転写ローラ５６０Ａ，５６０Ｂ，５６０Ｃ，５６０Ｄ，５６０Ｅには、寿司せぬ１次転写電圧電源から所定の電圧が印加されている。１次転写ローラ５６０Ａ，５６０Ｂ，５６０Ｃ，５６０Ｄ，５６０Ｅは、図１中矢印Ｆ方向に駆動する中間転写ベルト６００に感光体ドラム５３１表面において現像されたトナー像を１次転写する。
【００６４】
そして、中間転写ベルト６００上に１次転写されたトナー像は２次転写点において、図示せぬ２次転写電圧電源からトナーの帯電電位とは逆極性の所定の電圧が印加された２次転写ローラ６９０により、用紙１０１に２次転写される。トナー像が２次転写された用紙１０１は、定着装置７００に搬送され、所定の温度に維持された定着ローラ７００ａとバックアップローラ００ｂとから形成される圧接部を通過する際に熱及び圧力が付与され、トナーが溶融し、該トナー像は定着される。定着が行われた用紙１０１は、排出ローラ終８０３の回転により積載部８０５に排出される。
【００６５】
以上のように、本実施形態によれば、給紙ローラと分離ローラとの圧接部に用紙を突入させる前に、予め２つのピックアップローラによって用紙を捌くことにより、その後の分離ローラによって用紙を十分に分離することができる。したがって、例えば、裁断バリ顕著な用紙や、貼りつき力が強い用紙等を使用した場合においても、重送の発生を抑制することができる。
【００６６】
本実施形態では、第２のピックアップローラが停止した状態にあるときに、第１のピックアップローラを媒体搬送方向へ回転させることで、図６に示すような空間Ｇを形成するための分離動作を行わせる形態とした。しかしながら、これに限らず、用紙を給紙するとき、第１のピックアップローラを第１の速度で駆動させるとともに、第２のピックアップローラを第１の速度よりも遅い第２の速度で駆動させることにより、図６に示す空間Ｇを形成するための分離動作を行わせる形態としてもよい。その他の制御は上記実施形態と同様に行うことができる。
【００６７】
本実施形態の説明においては、第２のピックアップローラと給紙ローラとが同方向に回転する例について説明したが、例えば、第２のピックアップローラを用紙搬送方向とは逆方向に回転させることにより、用紙の捌き効果をさらに高めることができる。
【００６８】
また、第１のピックアップローラと第２のピックアップローラとを通常のピックアップローラとして動作させることにより、用紙の捌き効果は期待できないが、厚紙用紙や高湿高温環境下での用紙不送り防止効果を高めることも可能である。
【００６９】
さらに、本実施形態で説明した給紙モード、上記した給紙モードを用紙の種類によって適宜切り替える構成とすることも可能である。
【００７０】
本発明の説明においては、本発明をカセット型の用紙トレイに適用した例について説明したが、これに限らず、手差しトレイにも適用可能である。また、本発明の説明においては、画像形成装置の好適な一例としてプリンタを例にして説明したが、例えば、ＭＦＰ、ＦＡＸ等にも本発明は適用可能である。
【符号の説明】
【００７１】
１０  プリンタ
１０１  用紙
１０２  用紙積載トレイ
１０３  可動用紙積載トレイ
１０４  用紙ガイド対
１０５  用紙ガイド
１０６  シャフト
２００  給紙／搬送部
２０１  ピックアップフレーム
２０２  スプリング
２０３  第１のピックアップローラ
２０４  第２のピックアップローラ
２０５  給紙ローラ
２０６  分離ローラ
２１３，２１４，２１５  シャフト
２２０  駆動伝達部
２２３，２２４，２２５  電磁クラッチ
２３４  電磁ブレーキ
４００  用紙搬送部
４０１  用紙検知センサ
４０２  搬送ローラ対
４０２，４０３  搬送ローラ対
５３０Ａ，５３０Ｂ，５３０Ｃ，５３０Ｄ，５３０Ｅ  画像形成ユニット
５３１  感光体ドラム
５３２  帯電ローラ
５３３  露光装置
５３４  現像ローラ
５３５  供給ローラ
５５０  トナーカートリッジ
５６０Ａ，５６０Ｂ，５６０Ｃ，５６０Ｄ，５６０Ｅ  １次転写ローラ
６００  中間転写ベルト
６９０  ２次転写ローラ
６９１  ２次転写バックアップローラ
６９２  中間転写ベルト駆動ローラ
６９３，６９４  従動ローラ
７００  定着装置
７００ａ  定着ローラ
７００ｂ  バックアップローラ
８００  給紙／搬送駆動源
８０１  制御部
８０３  排出ローラ対
８０５  積載部
９００  媒体
【図１】
2018002367.tif 000003
【図２】
2018002367.tif 000004
【図３】
2018002367.tif 000005
【図４】
2018002367.tif 000006
【図５】
2018002367.tif 000007
【図６】
2018002367.tif 000008
【図７】
2018002367.tif 000009
【図８】
2018002367.tif 000010